(57)【要約】【課題】着脱式でありながら計量皿が体重計から離脱することを抑制すること。【解決手段】重量計に対し着脱可能な計量皿において、重量計が備える計量皿に嵌合する嵌合部１８、１９が設けられた基部１５と、基部１５の、嵌合部１８、１９が設けられた側の反対側の端部に設けられ、基部１５に対し展開した状態と折り畳んだ状態とを取り得る複数の板部材と、を有する。【選択図】図１
2015141063.tif 000002
【特許請求の範囲】
【請求項１】
重量計に対し着脱可能な計量皿において、
前記重量計が備える計量皿に嵌合する嵌合部が設けられた基部と、
前記基部の、前記嵌合部が設けられた側の反対側の端部に設けられ、前記基部に対し展開した状態と折り畳んだ状態とを取り得る複数の板部材と、
を有することを特徴とする計量皿。
【請求項２】
前記基部には、前記重量計に載置されたときに前記重量計が備える計量皿の周辺に沿って設けられるガイドが設けられている請求項１に記載の計量皿。
【請求項３】
前記嵌合部は、前記重量計が備える計量皿に嵌合した状態と嵌合を解除した状態とを取り得るロック機構を備える請求項１または２に記載の計量皿。
【請求項４】
前記嵌合部は、前記重量計が備える計量皿の端部に沿う位置に設けられている請求項１ないし３のいずれかに記載の計量皿。
【発明の詳細な説明】
【技術分野】
【０００１】
本件は、計量皿に関する。
【背景技術】
【０００２】
被計量物が葱や牛蒡のような長物野菜、その他の長尺物であっても、取り扱い性・作業性を損なうことなく、安定した状態で計量できる葱や牛蒡等の長尺物を計量する長尺物用秤が知られている（例えば、特許文献１参照）。
【０００３】
また、大量の被測定物を入れることができる計量容器を、使用しないときに小型化して装置本体に固定することができるようにし、利便性を高くした計量容器を備えた計量装置が知られている（例えば、特許文献２参照）。
【先行技術文献】
【特許文献】
【０００４】
【特許文献１】特開平１１−２４１９４４号公報
【特許文献２】実登３１７２４７９号公報
【発明の概要】
【発明が解決しようとする課題】
【０００５】
例えば、乳児の体重を計測する目的で計量皿を利用する場合を考える。この場合、乳児が計量皿の上で暴れたりすることを考えると、計量皿が体重計の上にて固定されているのが好ましい。
しかしながら、計量皿が体重計から離脱できないように固定すると、持ち運びが大変である。
１つの側面では、本発明は、着脱式でありながら計量皿が体重計から離脱することを抑制することを目的とする。
【課題を解決するための手段】
【０００６】
上記課題を解決するために、計量皿が提供される。この計量皿は、重量計に対し着脱可能な計量皿であって、重量計が備える計量皿に嵌合する嵌合部が設けられた基部と、基部の、嵌合部が設けられた側の反対側の端部に設けられ、基部に対し展開した状態と折り畳んだ状態とを取り得る複数の板部材と、を有する。
【発明の効果】
【０００７】
１態様では、着脱式でありながら計量皿が体重計から離脱することを抑制することができる。
【図面の簡単な説明】
【０００８】
【図１】第１の実施の形態の計量皿を示す斜視図である。
【図２】板部材を展開したときの計量皿を示す図である。
【図３】重量計を説明する図である。
【図４】計量皿の裏面を説明する図である。
【図５】比較用の乳児用体重計を示す斜視図である。
【図６】第２の実施の形態の計量皿を示す斜視図である。
【発明を実施するための形態】
【０００９】
以下、実施の形態を、図面を参照して詳細に説明する。
＜第１の実施の形態＞
図１は、第１の実施の形態の計量皿を示す斜視図である。
【００１０】
図１には、計量皿１０の他に、重量計２０が示してある。計量皿１０の上には、例えば、乳児が乗せられ、重量計２０によって、乳児の体重が量られる。計量皿１０の用途は特に限定されないが、以下の説明では乳児を乗せた場合を例に説明する。
【００１１】
図１に示す状態は、計量皿１０を計量に使用しないときの状態である。計量皿１０は、板部材１１〜１４を有している。計量皿１０を計量に使用しない状態では板部材１１〜１４は、後述する連結部を介して計量皿１０の中央部に折り畳まれている。計量皿１０を計量に使用する場合、ユーザは板部材１１〜１４を展開する。
図２は、板部材を展開したときの計量皿を示す図である。
【００１２】
図２（ｂ）に示すように、計量皿１０は、基部１５を有している。基部１５は、重量計２０が有する計量皿（図２では図示していない）の上に、着脱可能に取り付けられる。
基部１５は、平面部１５ａと連結部１５ｂ、１５ｃ、１５ｄ、１５ｅとを備えている。
平面部１５ａは、例えば、一辺が２２．５ｃｍの矩形をなしており、乳児を計量皿１０に乗せたときに主に乳児の胴体部分を支える部分である。
【００１３】
連結部１５ｂ、１５ｃ、１５ｄ、１５ｅは、それぞれ平面部１５ａに対し、垂直方向に立設する部位を備えている。また、連結部１５ｂ、１５ｃ、１５ｄ、１５ｅには、それぞれネジが挿入される孔部が設けられている。ネジは、孔部に挿入されナットでネジ止めされている。
板部材１１〜１４の側部には、それぞれネジが挿入される孔部が設けられている。
【００１４】
板部材１１の一方の側部に設けられた孔部には、連結部１５ｂにネジ止めされたネジが挿入されている。また、板部材１１の他方の側部に設けられた孔部には、連結部１５ｅにネジ止めされたネジが挿入されている。これにより、板部材１１が基部１５の端部に取り付けられている。
【００１５】
板部材１２の一方の側部に設けられた孔部には、連結部１５ｃにネジ止めされたネジが挿入されている。また、板部材１２の他方の側部に設けられた孔部には、連結部１５ｄにネジ止めされたネジが挿入されている。これにより、板部材１２が基部１５の端部に取り付けられている。
【００１６】
板部材１３の一方の側部に設けられた孔部には、連結部１５ｄにネジ止めされたネジが挿入されている。また、板部材１３の他方の側部に設けられた孔部には、連結部１５ｅにネジ止めされたネジが挿入されている。これにより、板部材１３が基部１５の端部に取り付けられている。
【００１７】
板部材１４の一方の側部に設けられた孔部には、連結部１５ｂにネジ止めされたネジが挿入されている。また、板部材１４の他方の側部に設けられた孔部には、連結部１５ｃにネジ止めされたネジが挿入されている。これにより、板部材１４が基部１５の端部に取り付けられている。
これらの構造により、基部１５を中心として、板部材１１〜１４を展開したり、折り畳んだりすることができる。連結部１５ａ〜１５ｄは例えば蝶番でもよい。
【００１８】
板部材１１、１２は、乳児を計量皿１０に載せたときに主に乳児の頭部および脚部を支える部分である。板部材１３、１４は、乳児を計量皿１０に乗せたときに主に乳児の腕を支える部分である。
【００１９】
計量皿１０の構成材料としては特に限定されないが、例えばアルミニウム等の金属や、プラスチック等が挙げられる。また、計量皿１０の一部が金属で形成され、他の一部が樹脂で形成される等、異なる部材によって計量皿１０が形成されていてもよい。
【００２０】
板部材１１、１２の大きさは、例えば、それぞれ縦×横が１７ｃｍ×２０ｃｍである。また、板部材１３、１４の大きさは、例えば、それぞれ縦×横が７ｃｍ×２３ｃｍである。また、板部材１１〜１４の厚さは、例えば、１ｍｍである。
【００２１】
板部材１１〜１４は、連結部１５ａ〜１５ｄとの関係により、基部１５に対し一定角度以上（例えば、１５０度以上）には、展開できないようになっている。例えば、板部材１１が基部１５に対し一定角度以上展開したところで、板部材１１の一部が基部１５に当接し、それ以上展開できないようになっている。これにより、乳児が計量皿１０から落下することを抑制することができる。
【００２２】
ところで、板部材１１〜１４を展開すると、計量皿１０は、例えば、縦×横が３１ｃｍ×５４ｃｍの大きさを有する。つまり、計量皿１０は、折り畳むことにより縦×横の大きさを、３１ｃｍ×５４ｃｍから２５ｃｍ×２５ｃｍに小さくすることができ、持ち運びに便利である。
図３は、重量計を説明する図である。
【００２３】
重量計２０は、計量皿２１を有している。計量皿２１は、例えば、重量計２０に付属の計量皿であり、計量皿１０とは異なる。この計量皿２１の大きさ（表面積）は、計量皿１０より若干小さく作られており、一例として縦×横×高さが１８．５ｃｍ×２２ｃｍ×１．５ｃｍの大きさを有する。
重量計２０は、例えば、縦×横×高さが３０ｃｍ×２５ｃｍ×１０ｃｍの大きさを有する。
図４は、計量皿の裏面を説明する図である。
【００２４】
計量皿１０の裏面には、計量皿１０の辺１０ｂに沿ってガイド１６が設けられている。また、計量皿１０の辺１０ｃに沿ってガイド１７が設けられている。ガイド１６とガイド１７を設けることで、計量皿１０を計量皿２１の上に載置したときに、計量皿１０の安定性を増すことができる。
【００２５】
ガイド１６とガイド１７との間の長さや、ガイド１６、１７それぞれの大きさは、計量皿２１の横の大きさに応じて決定される。具体的には、ガイド１６とガイド１７との間の長さは、計量皿２１の横の大きさより若干大きくなっており、例えば２２．５ｃｍである。
【００２６】
また、計量皿１０の辺１０ｄには、計量皿２１の側部に嵌合する嵌合部１８が設けられている。嵌合部１８には、コの字状の返しが付いている。このコの字状の底面１８ａの長さは、計量皿２１の高さ（側部の長さ）より若干長くなっている。例えば、計量皿２１の高さが１．５ｃｍである場合、底面１８ａの長さは、１．７ｃｍである。
【００２７】
なお、ガイド１６、１７、および嵌合部１８は、計量皿１０の製造時に基部１５となる部位を含む平面板の一部をカットして起こすことにより作成される。つまり、基部１５、ガイド１６、１７、および支持部１８は、１つの平面板から一体的に作られている。
【００２８】
また、計量皿１０の辺１０ｅ付近には、計量皿２１の側部に嵌合した状態と嵌合を解除した状態とを取り得るロック機構を有する嵌合部１９が設けられている。具体的には嵌合部１９は、スリット状の孔部１９ａと、孔部１９ａに挿入され図４中、手前側および奥側に移動可能な板部材１９ｂを有している。
板部材１９ｂの端部には、板部材１９ｂが孔部１９ａから離脱することを抑制する突起が設けられている。
嵌合部１８、１９は、それぞれ計量皿２１の端部に沿う位置に設けられている。
【００２９】
計量皿１０を計量皿２１の上に載置した際には、ガイド１６、１７により、計量皿１０が図４中、矢印Ａの方向に移動することを抑制することができる。これにより、計量皿２１から計量皿１０が離脱することを抑制することができる。また、嵌合部１８、１９により、計量皿１０が図４中、矢印Ｂの方向に移動することを抑制することができる。これにより、計量皿２１から計量皿１０が離脱することを抑制することができる。
次に、計量皿１０を計量皿２１に取り付ける方法を説明する。
【００３０】
まず、ユーザは、板部材１９ｂが手前側、言い換えると嵌合を解除した状態に位置していることを確認した後に、嵌合部１８の返しを計量皿２１の側部に取り付ける。その後、ユーザは、ガイド１６、１７を計量皿２１の側部に沿って取り付ける。これにより、計量皿１０が計量皿２１の上部を覆う。この状態でユーザは、板部材１９ｂを把持して計量皿２１側、すなわち、計量皿２１に近接する方向に押し込む。これにより、計量皿１０の嵌合部１８、１９が計量皿２１の側部に嵌合し、計量皿１０が計量皿２１から離脱することを抑制することができる。
【００３１】
計量皿１０を計量皿２１から取り外す場合、ユーザは、板部材１９ｂを把持して手前側、すなわち、計量皿２１から離間する方向に引き出す。次にユーザは、基部１５の嵌合部１９側の辺を把持して計量皿１０を計量皿２１から離間させる方向に持ち上げる。計量皿１０の嵌合部１９側の辺がある程度持ち上げられた状態で嵌合部１８を計量皿２１の側部から取り外す作業を行う。
図５は、比較用の乳児用体重計を示す斜視図である。
【００３２】
図５に示すように、乳児用体重計３０は、乳児用計量皿３１および重量計３２を有している。乳児用計量皿３１は、例えば、ねじによって重量計３２に固定され、重量計３２と一体となっている。
【００３３】
乳児用計量皿３１は、折り畳み機能のない計量皿であり、例えば、縦×横×高さが３０ｃｍ×７０ｃｍ×１０ｃｍの大きさを有している。また、重量計３２は、例えば、縦×横×高さが３０ｃｍ×２５ｃｍ×１０ｃｍの大きさを有している。このため、乳児用体重計３０は、例えば、縦×横×高さが３０ｃｍ×７０ｃｍ×２０ｃｍとなる。
【００３４】
ここで、例えば助産師や保健師は、乳児のいる家へ訪問し、乳児の体重を量ることがある。このとき、助産師や保健師は、縦×横×高さが３０ｃｍ×７０ｃｍ×２０ｃｍの大きさの乳児用体重計３０を持って家を訪問しなければならず、持ち運びが大変である。
【００３５】
これに対し、図１〜図４で説明した計量皿１０は、重量計２０から取り外して折り畳むことができる。すなわち、助産師や保健師は、折り畳んだ状態の計量皿１０と重量計２０とを持って乳児のいる家を訪問でき、持ち運びが容易となる。
【００３６】
このように、計量皿１０は、基部１５に対し折り畳み可能な板部材１１〜１４を有する。板部材１１〜１４を折り畳むことにより、計量皿１０の大きさがコンパクトになり、計量皿１０の持ち運びが容易となる。
【００３７】
また、計量皿１０は、重量計２０に対し着脱できる。従って例えば、重量計２０を既に所持している助産師や保健師は、別途重量計を買い直すことなく計量皿１０を購入するだけでよい。このため、コストを低減することができる。
【００３８】
また、計量皿１０は、嵌合部１８、１９を設けたことにより、例えば、計量皿１０に載置された乳児のバランスが崩れた場合であっても計量皿１０が重量計２０から離脱することを抑制することができ、事故を未然に防げる可能性が高まる。
【００３９】
なお、本件は、上述した実施の形態に限定されるわけではなく、その他種々の変更が可能である。例えば、展開しかつ折り畳みされる板部材の枚数は、上記に限られない。また、本実施の形態では、基部１５に対し板部材１１〜１４を折り畳むことで、計量皿１０の大きさを小さくする構造とした。しかし、これに限らず、基部１５に対し板部材１１〜１４のうちの１つまたは全部をスライドさせ、基部１５の上面または下面に板部材１１〜１４を挿入することにより、計量皿１０の大きさを小さくするようにしてもよい。
【００４０】
また、本実施の形態では、支持部１９の構造を板部材１９ｂをユーザが手前側から奥側に直線移動させることにより計量皿１０が重量計２０に対し固定される構造とした、しかし、これに限らず、板部材１９ｂの移動により計量皿１０が重量計２０に対し固定される構造であれば特に限定されない。
＜第２の実施の形態＞
次に、第２の実施の形態の計量皿について説明する。
以下、第２の実施の形態の計量皿について、前述した第１の実施の形態との相違点を中心に説明し、同様の事項については、その説明を省略する。
図６は、第２の実施の形態の計量皿を示す斜視図である。
図６に示す第２の実施の形態の計量皿４０は、裏面の構造が第１の実施の形態の計量皿１０と異なっている。
【００４１】
計量皿４０は、計量皿１０に比べ、ガイド１６、１７、および嵌合部１９が設けられていない。また、計量皿４０は、ガイド１６、１７の代わりに嵌合部１８と同様の構造を備える嵌合部４１、４２を備えている。
次に、計量皿４０を計量皿２１に取り付ける方法を説明する。
【００４２】
まず、ユーザは、嵌合部１８が設けられている側とは反対側の辺を計量皿２１に近づける。そして、計量皿２１の辺に沿って嵌合部１８、４１、４２を計量皿２１の側部に嵌め込み、計量皿２１の長辺が嵌合部１８に当接するところまで嵌合部４１、４２をスライドさせる。これにより、計量皿１０の嵌合部１８、４１、４２が計量皿２１の側部により支持され、計量皿４０が計量皿２１から離脱することを抑制することができる。なお、本実施の形態では、嵌合部１８は、ユーザが嵌合部４１、４２をスライドさせ過ぎて計量皿４０が計量皿２１から外れてしまうことを抑制する係止部としても機能する。
【００４３】
また、このような形状にすると、重量計２０の後側（目盛りが配置されている側とは反対側）から手前側に計量皿４０を取り付ける形になるため、取り付けが容易である。
計量皿４０を計量皿２１から取り外す場合、ユーザは、計量皿４０を取り付けた方向とは逆の方向に計量皿４０をスライドさせる。
【００４４】
第２の実施の形態の計量皿４０によれば、第１の実施の形態の計量皿１０と同様の効果が得られる。また、計量皿４０によれば、計量皿１０に比べ構造を簡易なものにすることができる。
【００４５】
以上、本発明の計量皿を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【符号の説明】
【００４６】
１０、４０  計量皿
１１〜１４  板部材
１５ａ〜１５ｄ  連結部
１６、１７  ガイド
１８、１９、４１、４２  嵌合部
２０  重量計
２１  計量皿
【図１】
2015141063.tif 000003
【図２】
2015141063.tif 000004
【図３】
2015141063.tif 000005
【図４】
2015141063.tif 000006
【図５】
2015141063.tif 000007
【図６】
2015141063.tif 000008
【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
重量計に対し着脱可能な計量皿において、
底面が矩形をなし、前記矩形の３辺それぞれに前記重量計が備える計量皿に嵌合する嵌合部が設けられた基部と、
前記基部の、前記嵌合部が設けられた側の反対側の端部に設けられ、前記基部に対し展開した状態と折り畳んだ状態とを取り得る複数の板部材と、
を有し、
当該計量皿を前記重量計に取り付ける際には、互いに対向する前記嵌合部を前記重量計が備える計量皿の側部に嵌め込み、前記重量計が備える計量皿の辺が残り１つの前記嵌合部に当接するところまでスライドさせることを特徴とする計量皿。
【請求項２】
前記基部には、前記重量計に載置されたときに前記重量計が備える計量皿の周辺に沿ってガイドが設けられている請求項１に記載の計量皿。
【請求項３】
重量計に対し着脱可能な計量皿において、
前記重量計が備える計量皿に嵌合する嵌合部が設けられた基部と、
前記基部の、前記嵌合部が設けられた側の反対側の端部に設けられ、前記基部に対し展開した状態と折り畳んだ状態とを取り得る複数の板部材と、
を有し、
前記嵌合部は、前記重量計が備える計量皿に嵌合した状態と嵌合を解除した状態とを取り得るロック機構を備えることを特徴とする計量皿。
【請求項４】
前記嵌合部は、前記重量計が備える計量皿の端部に沿う位置に設けられている請求項１または２に記載の計量皿。